(57)【特許請求の範囲】
【請求項１】
長手方向の中央部（１）における幅方向の曲率が、長手方向の端部（２，３）における幅方向の曲率よりも大きいことを特徴とする空気調和機のフラップ。
【請求項２】
長手方向の中央部（１）における幅方向の曲率が、長手方向の端部（２，３）における幅方向の曲率よりも大きく、
かつ、
長手方向の中央部（２１）の幅（Ｌ１）が、長手方向の端部（２２，２３）の幅（Ｌ２，Ｌ３）よりも広いことを特徴とする空気調和機のフラップ。
【発明の詳細な説明】
【０００１】
【発明の属する技術分野】
本発明は空気調和機のフラップに関する。
【０００２】
【従来の技術】
従来より、空気調和機のフラップとしては、図３に示すように、長手方向の全体にわたって、幅方向の曲率、および、幅が一定の水平羽根がある。この水平羽根は、上流側から矢印Ｒ１方向へ向かって流れてきた空気を矢印Ｒ２方向へ案内する。このとき、図４に示すように、上流側から流れてきた空気Ａは、水平羽根の案内面３１，３２に沿って幅方向に流れる。
【０００３】
【発明が解決しようとする課題】
ところが、上記従来の水平羽根は、幅方向の曲率が小さく、幅が狭いため、風向調節能力が低く、良好な気流制御を実現することができないという問題があった。
【０００４】
このような問題を解決するための水平羽根としては、図５に示すように、長手方向の全体にわたって、幅方向の曲率が大きく、かつ、幅が広くしたものが考えられる。しかし、図５の水平羽根は、図６に示すように、上流側からの空気Ｂ１を一方の案内面５１で案内できるが、上流側からの空気Ｂ２を他方の案内面５２で案内できない。つまり、上記他方の案内面５２では、下流側の先端部５３の近傍で空気Ｂ２の剥離が生じている。そのため、図５の水平羽根では、冷房運転時、高温多湿の室内空気が、長手方向の端部５４，５５側に引き込まれ、先端部５３に接触してしまう。その結果、上記長手方向の端部５４，５５における先端部５３に結露が発生するという問題がある。
【０００５】
そこで、本発明の課題は、良好な気流制御を実現でき、かつ、長手方向の端部における結露の発生を防止できる空気調和機のフラップを提供することにある。
【０００６】
【課題を解決するための手段】
上記課題を解決するため、請求項１の発明の空気調和機のフラップは、長手方向の中央部における幅方向の曲率が、長手方向の端部における幅方向の曲率よりも大きいことを特徴としている。
【０００７】
上記請求項１の発明の空気調和機のフラップによれば、上記長手方向の中央部における幅方向の曲率を大きくした場合、風向調節能力が高くなり、良好な気流制御を実現できる。このとき、上記長手方向の端部における幅方向の曲率が、長手方向の中央部における幅方向の曲率よりも小さいから、気流の剥離が起きなくて、長手方向の端部が吹き出し空気で包み込まれる。これにより、冷房運転時、従来のように高温多湿の室内空気が冷風に巻き込まれて長手方向の端部に接触することがなく、長手方向の端部における結露の発生を防止できる。
【０００８】
このように、上記長手方向の中央部における幅方向の曲率が、長手方向の端部における幅方向の曲率よりも大きいから、良好な気流制御を実現でき、かつ、長手方向の端部における結露の発生を防止できる。
【０００９】
【００１０】
【００１１】
【００１２】
請求項２の発明の空気調和機のフラップは、長手方向の中央部における幅方向の曲率が、長手方向の端部における幅方向の曲率よりも大きく、かつ、長手方向の中央部の幅が、長手方向の端部の幅よりも広いことを特徴としている。
【００１３】
上記請求項２の発明の空気調和機のフラップによれば、上記長手方向の中央部における幅方向の曲率を大きく、かつ、上記長手方向の中央部の幅を広くした場合、風向調節能力が極めて高くなり、より良好な気流制御を実現できる。このとき、上記長手方向の端部における幅方向の曲率が、長手方向の中央部における幅方向の曲率よりも小さく、かつ、上記長手方向の端部の幅が、長手方向の中央部の幅よりも小さいから、気流の剥離が起きなくて、長手方向の端部が吹き出し空気で包み込まれる。これにより、冷房運転時、従来のように高温多湿の室内空気が冷風に巻き込まれて長手方向の端部に接触することがなく、長手方向の端部における結露の発生を防止できる。
【００１４】
このように、上記長手方向の中央部における幅方向の曲率が、長手方向の端部における幅方向の曲率よりも大きく、かつ、上記長手方向の中央部の幅が、長手方向の端部の幅よりも広いから、より良好な気流制御を実現でき、かつ、長手方向の端部における結露の発生を防止できる。
【００１５】
【発明の実施の形態】
以下、本発明の空気調和機のフラップを図示の実施の形態により詳細に説明する。
【００１６】
図１は、本発明の実施の一形態の空気調和機のフラップの一例としての水平羽根の概略斜視図である。
【００１７】
上記水平羽根は、図１に示すように、長手方向の中央部１における幅方向の曲率が大きく、かつ、長手方向の端部２，３における幅方向の曲率が小さくなっている。すなわち、上記長手方向の中央部１における幅方向の曲率は、長手方向の端部２，３における幅方向の曲率よりも大きくなっている。ここで、幅方向とは、水平羽根において空気が流れる方向のことである。
【００１８】
上記構成の水平羽根は、吹き出し空気を矢印Ｃ，Ｓ方向および矢印に案内する。このとき、上記長手方向の中央部１における幅方向の曲率が大きいから、風向調節能力が高く、上流側から流れてくる空気の大部分が矢印Ｃ方向に良好に案内される。したがって、良好な気流制御を実現することができる。
【００１９】
また、上記長手方向の端部２，３における幅方向の曲率が小さいから、長手方向の端部２，３において気流の剥離が起きなくて、長手方向の端部２，３が吹き出し空気で包み込まれる。したがって、冷房運転時、従来のように高温多湿の室内空気が冷風に巻き込まれて長手方向の端部２，３に接触することがなく、長手方向の端部２，３における結露の発生を防止できる。
【００２０】
図２に、本発明の参考例の空気調和機のフラップの一例としての水平羽根の概略正面図である。
【００２１】
この水平羽根は、図２に示すように、長手方向の中央部２１の幅（すなわち翼弦）Ｌ１が広く、かつ、長手方向の端部２２，２３の幅（すなわち翼弦）Ｌ２，Ｌ３が狭くなっている。すなわち、上記長手方向の中央部２１の幅Ｌ１は、長手方向の端部２２，２３の幅Ｌ２，Ｌ３よりも広くなっている。
【００２２】
上記構成の水平羽根は、上記長手方向の中央部２１の幅Ｌ１が大きいから、風向調節能力が高く、上流側から流れてくる空気の大部分が良好に案内される。したがって、良好な気流制御を実現することができる。
【００２３】
また、上記長手方向の端部２２，２３の幅Ｌ２，Ｌ３が小さいから、長手方向の端部２２，２３において吹き出し空気が剥離しにくく、長手方向の端部２２，２３が吹き出し空気で包み込まれる。したがって、冷房運転時、従来のように高温多湿の室内空気が冷風に巻き込まれて長手方向の端部２２，２３に接触することがなく、長手方向の端部２２，２３における結露の発生を防止できる。
【００２４】
図示しないが、空気調和機のフラップの一例としての水平羽根は、長手方向の中央部における幅方向の曲率が、長手方向の端部における幅方向の曲率よりも大きく、かつ、長手方向の中央部の幅が、長手方向の端部の幅よりも広く形成されていてもよい。この場合、より良好な気流制御を実現でき、かつ、長手方向の端部における結露の発生を確実に阻止できる。
【００２５】
上記実施の形態では、本発明の空気調和機のフラップは水平羽根であったが、本発明の空気調和機のフラップは垂直フラップであってもよい。要するに、本実施の形態の水平羽根の構成を垂直フラップが有してもよい。
【００２６】
【発明の効果】
以上より明らかなように、請求項１の発明の空気調和機は、長手方向の中央部における幅方向の曲率が、長手方向の端部における幅方向の曲率よりも大きいから、風向調節能力を高めることができると共に、長手方向の端部を吹き出し空気で包むことができる。したがって、良好な気流制御を実現でき、かつ、長手方向の端部における結露の発生を防止できる。
【００２７】
【００２８】
請求項２の発明の空気調和機は、長手方向の中央部における幅方向の曲率が、長手方向の端部における幅方向の曲率よりも大きく、かつ、上記長手方向の中央部の幅が、長手方向の端部の幅よりも広いから、風向調節能力を極めて高めることができると共に、長手方向の端部を吹き出し空気で包むことができる。したがって、より良好な気流制御を実現でき、かつ、長手方向の端部における結露の発生を防止できる。
【図面の簡単な説明】
【図１】図１は本発明の実施の一形態の空気調和機の水平羽根の概略斜視図である。
【図２】図２は本発明の参考例の空気調和機の水平羽根の概略正面図である。
【図３】図３は従来の空気調和機の水平羽根の概略斜視図である。
【図４】図４は上記従来の空気調和機の水平羽根による風向調節を説明するための図である。
【図５】図５は他の従来の空気調和機の水平羽根の概略斜視図である。
【図６】図６は上記他の従来の空気調和機の水平羽根による風向調節を説明するための図である。
【符号の説明】
１                長手方向の中央部
２，３            長手方向の端部
Ｌ１，Ｌ２，Ｌ３  幅
【図１】
0003622690.tif 000002
【図２】
0003622690.tif 000003
【図３】
0003622690.tif 000004
【図４】
0003622690.tif 000005
【図５】
0003622690.tif 000006
【図６】
0003622690.tif 000007